(57)【要約】ネットワークを介して電子装置と通信することを可能にするシステム（１００）及び対応の方法が提供される。そのシステムは、第２の装置（１１０）に関連する識別パラメータを有する通信を送信し、通信は第１の電子装置（１２０ａ，ｂ．．．ｋ）の通信プロトコルと互換性がある第１の装置（１４０）と、第１の装置と無線通信する第１のインタフェースと、ネットワーク（１３０）を介して第２の装置と通信する第２のインタフェースとを有し、第２の装置と通信する第１の電子装置と、ネットワークを介して第１の電子装置と通信し、第１の電子装置と通信する第２の装置とを有する。
2006525771.tif 000002
【特許請求の範囲】
【請求項１】
ネットワークを介して電子装置と通信する方法であって、
コンピュータに関連する識別パラメータを有する通信を受信し、前記通信は第１の電子装置の通信プロトコルと互換性があるステップと、
受信した識別パラメータに関連するコンピュータと通信を確立する要求を送信し、前記要求はネットワークを介して送信されるステップと、
前記要求に対する応答を受信し、前記応答は、前記コンピュータと前記第１の電子装置との間で通信を確立しようとし、前記応答は前記ネットワークを介して送信されるステップと、
前記要求に対する応答を確認し、通信を確立する要求が送信されたコンピュータが、前記受信した識別パラメータに関連するコンピュータであることを確保するステップと
を有する方法。
【請求項２】
請求項１に記載の方法であって、
前記コンピュータと前記第１の電子装置との間で通信を確立する要求は、前記通信が望まれる前記第１の装置から送信される方法。
【請求項３】
請求項１に記載の方法であって、
前記第１の電子装置は、工場定義の通信プロトコルを使用する方法。
【請求項４】
請求項１に記載の方法であって、
前記コンピュータに関連する識別パラメータは、前記コンピュータのＩＰアドレス及びポートを有する方法。
【請求項５】
請求項１に記載の方法であって、
前記コンピュータに関連する識別パラメータを前記第１の装置のメモリに格納することを更に有する方法。
【請求項６】
請求項１に記載の方法であって、
前記コンピュータからコマンドを受信し、前記コマンドは、前記第１の電子装置で所望の機能を実行することに関連することを更に有する方法。
【請求項７】
請求項６に記載の方法であって、
前記所望の機能は、前記第１の装置のサービス、テスト及び制御のうちの１つに関連する方法。
【請求項８】
請求項１に記載の方法であって、
前記ネットワークはＥｔｈｅｒｎｅｔネットワークである方法。
【請求項９】
請求項１に記載の方法であって、
前記コンピュータに関連する識別パラメータを有する通信を受信し、前記通信は、第２の電子装置の通信プロトコルと互換性があり、
受信した識別パラメータに関連するコンピュータと通信を確立する要求を送信し、前記要求は前記ネットワークを介して送信され、
前記要求に対する応答を受信し、前記応答は、前記コンピュータと前記第２の電子装置との間で通信を確立しようとし、前記応答は前記ネットワークを介して送信され、
前記要求に対する応答を確認し、通信を確立する要求が送信されたコンピュータが、前記受信した識別パラメータに関連するコンピュータであることを確保することを更に有する方法。
【請求項１０】
請求項９に記載の方法であって、
前記コンピュータからコマンドを受信し、前記コマンドは、前記第２の電子装置で所望の機能を実行することに関連することを更に有する方法。
【請求項１１】
ネットワークを介して電子装置と通信する方法であって、
コンピュータに関連する識別パラメータを有する通信を第１の電子装置に送信し、前記通信は前記第１の電子装置の通信プロトコルと互換性があり、
前記第１の電子装置と通信を確立する要求を受信し、前記要求はネットワークを介して送信され、
前記要求に対する応答を送信し、前記応答は、前記コンピュータと前記第１の電子装置との間で通信を確立しようとし、前記応答は前記ネットワークを介して送信されることを有する方法。
【請求項１２】
請求項１１に記載の方法であって、
前記コンピュータに関連する識別パラメータを有する通信は、前記第１の電子装置により使用される独自仕様のプロトコルを使用する方法。
【請求項１３】
請求項１１に記載の方法であって、
前記識別パラメータは、前記コンピュータのＩＰアドレス及びポートを有する方法。
【請求項１４】
請求項１１に記載の方法であって、
前記第１の電子装置にコマンドを送信し、前記コマンドは、前記第１の電子装置で所望の機能を実行することに関連することを更に有する方法。
【請求項１５】
請求項１４に記載の方法であって、
前記所望の機能は、前記第１の装置のサービス、テスト及び制御のうちの１つに関連する方法。
【請求項１６】
請求項１１に記載の方法であって、
前記ネットワークはＥｔｈｅｒｎｅｔネットワークである方法。
【請求項１７】
請求項１１に記載の方法であって、
前記コンピュータに関連する識別パラメータを有する通信を第２の電子装置に送信し、前記通信は、前記第２の電子装置の通信プロトコルと互換性があり、
前記第２の電子装置と通信を確立する要求を受信し、前記要求は前記ネットワークを介して送信され、
前記要求に対する応答を送信し、前記応答は、前記コンピュータと前記第２の電子装置との間で通信を確立しようとし、前記応答は前記ネットワークを介して送信されることを更に有する方法。
【請求項１８】
請求項１７に記載の方法であって、
前記第２の電子装置にコマンドを受信し、前記コマンドは、前記第２の電子装置で所望の機能を実行することに関連することを更に有する方法。
【請求項１９】
ネットワークを介して電子装置と通信するシステムであって、
第２の装置に関連する識別パラメータを有する通信を送信し、前記通信は第１の電子装置の通信プロトコルと互換性がある第１の装置と、
前記第１の装置と無線通信する第１のインタフェースと、ネットワークを介して前記第２の装置と通信する第２のインタフェースとを有し、前記第２の装置と通信する第１の電子装置と、
前記ネットワークを介して前記第１の電子装置と通信し、前記第１の電子装置と通信する第２の装置と
を有するシステム。
【請求項２０】
請求項１９に記載のシステムであって、
前記第１の装置は、赤外線送信機であるシステム。
【請求項２１】
請求項１９に記載のシステムであって、
前記第１の装置により送信される識別パラメータは、前記第２の装置に関連するインターネットプロトコルアドレス及びポートを有するシステム。
【請求項２２】
請求項１９に記載のシステムであって、
前記第２の装置はコンピュータであるシステム。
【請求項２３】
請求項１９に記載のシステムであって、
前記第１の電子装置は、ビデオ表示装置であるシステム。
【請求項２４】
請求項１９に記載のシステムであって、
前記ネットワークはＥｔｈｅｒｎｅｔネットワークであるシステム。
【請求項２５】
請求項１９に記載のシステムであって、
前記第１の電子装置の前記第１のインタフェースは、赤外線信号をデコードするシステム。
【請求項２６】
請求項１９に記載のシステムであって、
前記第１の電子装置は、前記第２の装置に関連する識別パラメータを格納するメモリを更に有するシステム。
【請求項２７】
請求項１９に記載のシステムであって、
前記第２のインタフェースはＥｔｈｅｒｎｅｔコネクタであるシステム。
【請求項２８】
請求項１９に記載のシステムであって、
前記第１の電子装置は、前記第１の電子装置で所望の機能を実行することに関連する前記第２の装置により送信されたコマンドを実行するシステム。
【請求項２９】
請求項１９に記載のシステムであって、
前記第１及び第２の装置は、前記第１の電子装置と互換性のある独自仕様のプロトコルを使用するシステム。
【請求項３０】
請求項１９に記載のシステムであって、
前記第１の電子装置が前記第２の装置と通信を確立した後に、前記ネットワークを介して前記第２の装置と通信する第２の電子装置を更に有するシステム。
【請求項３１】
請求項３０に記載のシステムであって、
前記第２の電子装置はビデオ表示装置であるシステム。
【請求項３２】
ネットワークを介して電子装置と通信するために記録されたコンピュータプログラムロジックを有するコンピュータ使用可能媒体を有するコンピュータプログラムプロダクトであって、
前記コンピュータプログラムロジックは、
コンピュータに関連する識別パラメータを有する通信を受信し、前記通信は電子装置の通信プロトコルと互換性があるプログラムコードと、
受信した識別パラメータに関連するコンピュータと通信を確立する要求を送信し、前記要求はネットワークを介して送信されるプログラムコードと、
前記要求に対する応答を受信し、前記応答は、前記コンピュータと前記電子装置との間で通信を確立しようとし、前記応答は前記ネットワークを介して送信されるプログラムコードと、
前記要求に対する応答を確認し、通信を確立する要求が送信されたコンピュータが、前記受信した識別パラメータに関連するコンピュータであることを確保するプログラムコードと
を有するコンピュータプログラムプロダクト。
【請求項３３】
ネットワークを介して電子装置と通信するために記録されたコンピュータプログラムロジックを有するコンピュータ使用可能媒体を有するコンピュータプログラムプロダクトであって、
前記コンピュータプログラムロジックは、
コンピュータに関連する識別パラメータを有する通信を電子装置に送信し、前記通信は前記電子装置の通信プロトコルと互換性があるプログラムコードと、
前記電子装置と通信を確立する要求を受信し、前記要求はネットワークを介して送信されるプログラムコードと、
前記要求に対する応答を送信し、前記応答は、前記コンピュータと前記電子装置との間で通信を確立しようとし、前記応答は前記ネットワークを介して送信されるプログラムコードと
を有するコンピュータプログラムプロダクト。
【請求項３４】
Ｅｔｈｅｒｎｅｔネットワークを介してビデオ表示装置と通信するシステムであって、
前記ビデオ表示装置により使用される通信プロトコルを介してビデオ表示装置に赤外線信号を無線送信し、前記赤外線信号は、コンピュータに関連するインターネットプロトコルアドレス及びポートを有する赤外線送信機と、
前記赤外線信号を受信し、Ｅｔｈｅｒｎｅｔネットワークを介して前記コンピュータと通信し、前記赤外線信号を受信する赤外線受信機と、前記Ｅｔｈｅｒｎｅｔネットワークに接続するＥｔｈｅｒｎｅｔコネクタとを有するビデオ表示装置と、
前記ビデオ表示装置で所望の機能を実行し、前記Ｅｔｈｅｒｎｅｔネットワークに接続するＥｔｈｅｒｎｅｔコネクタと、前記ビデオ表示装置で実行される所望の機能を入力する入力手段を有するコンピュータと
を有するシステム。
【請求項３５】
表示装置で使用される表示技術に対応するメディアオブジェクトを受信する方法であって、
前記表示装置で使用される表示技術に関連する表示装置パラメータを決定するステップと、
前記パラメータを通信するステップと、
前記メディアオブジェクトを受信し、前記メディアオブジェクトは前記表示装置で使用される表示技術に対応するステップと
を有する方法。
【請求項３６】
請求項３５に記載の方法であって、
使用される表示技術を示す前記パラメータは、陰極線管、有機発光ダイオード、液晶ディスプレイ、シリコン上液晶、デジタル光プロジェクト及びプラズマのうち少なくとも１つである方法。
【請求項３７】
請求項３６に記載の方法であって、
前記メディアオブジェクトは、表示技術に適したフォーマットでエンコードされる方法。
【請求項３８】
請求項３７に記載の方法であって、
前記メディアオブジェクトは、前記表示技術用に変更された視覚属性を有し、
前記視覚属性は、前記メディアオブジェクトが異なる表示技術を使用した表示装置に表示されるときに変更される方法。
【請求項３９】
請求項３８に記載の方法であって、
前記メディアオブジェクトは、デジタルテレビ放送システムのサブチャネルで送信され、前記変更されたメディアオブジェクトは、異なるサブチャネルで送信される方法。
【請求項４０】
表示装置に使用される表示技術に対応したメディアオブジェクトを送信する方法であって、
前記表示装置に使用される表示技術に関係する表示装置パラメータを決定し、前記パラメータは、前記表示装置からの前記メディアオブジェクトの要求の一部として受信されるステップと、
前記表示装置に前記メディアオブジェクトを送信し、前記メディアオブジェクトは、前記表示装置に使用される表示技術に対応するステップと、
を有する方法。
【請求項４１】
請求項４０に記載の方法であって、
使用される表示技術を示す前記パラメータは、陰極線管、有機発光ダイオード、液晶ディスプレイ、シリコン上液晶、デジタル光プロジェクト及びプラズマのうち少なくとも１つである方法。
【請求項４２】
請求項４１に記載の方法であって、
前記メディアオブジェクトは、表示技術に適したフォーマットでエンコードされる方法。
【請求項４３】
請求項４２に記載の方法であって、
前記メディアオブジェクトは、前記表示技術用に変更された視覚属性を有し、
前記視覚属性は、前記メディアオブジェクトが異なる表示技術を使用した表示装置に表示されるときに変更される方法。
【請求項４４】
請求項４３に記載の方法であって、
前記メディアオブジェクトは、デジタルテレビ放送システムのサブチャネルで送信され、前記変更されたメディアオブジェクトは、異なるサブチャネルで送信される方法。
【発明の詳細な説明】
【技術分野】
【０００１】
本発明は、電子装置との通信に関し、特にネットワークを介してビデオ表示装置と通信するシステム及び方法に関する。
【背景技術】
【０００２】
ビデオ表示装置のような電子装置は、ネットワーク接続を通じてコンピュータを介して制御され得る。音量又は色調節の変更のような調整は、テレビのようなビデオ表示装置のノブを調整することにより実行されるのではなく、ビデオ表示装置のスクリーンのメニューとインタフェースすることにより、又は赤外線リモコンを介して実行される。コンピュータ制御のビデオ表示装置の採用は、現代の表示装置の特徴及び機能を拡張してきた。例えば、コンピュータ制御のビデオ表示装置は、サービス又は修理について電子的に診断され、自動テストを受け、様々な機能を実行するように制御され得る。更に、これらのビデオ表示装置は、Ｅｔｈｅｒｎｅｔ、トークンリング、非同期転送モード（ＡＴＭ）等のようなネットワークプロトコルを使用してローカルエリアネットワーク（ＬＡＮ）を介して相互に接続され得る。
【０００３】
コンピュータ制御可能ビデオ表示装置のサービス又はテストのような所望の機能を実行するために、ビデオ表示装置製造者及びサービスプロバイダにより複数の通信技術が開発され、このような動作を実現している。これらの技術は、一般的にコンピュータと赤外線送信機とを必要とし、これらはコンピュータ制御のビデオ表示装置と通信するためにサービス技術者により使用される。コンピュータとビデオ表示装置との間の通信チャネルは、場合によってはＥｔｈｅｒｎｅｔ接続で行われる。しかし、セキュリティの目的で、コンピュータ制御のビデオ表示装置は、一般的にビデオ表示装置と互換性のあるコンピュータへのアクセスのみを認め、それによって、無許可のユーザがビデオ表示装置へのアクセスを得ることを回避する。
【０００４】
コンピュータを介してビデオ表示装置と通信するために、ビデオ表示装置のＩＰアドレスとポートとを認識しているサービス技術者は、そのコンピュータのＩＰアドレスとポートとを再構成する。サービス技術者によるネットワーク知識の欠如により、及びコンピュータのＩＰアドレスの構成及び復旧を自動化する機能を除外するオペレーティングシステムの増加により、この処理はいくらか禁じられ得る。更に、現在の通信技術は、サービス技術者がネットワークで同時に１つより多いビデオ表示装置と通信することを妨げている。
【発明の開示】
【発明が解決しようとする課題】
【０００５】
従って、サービス技術者がネットワーク環境の広範囲の知識を必要としないネットワークを介して、ビデオ表示装置のような１つ以上の電子装置と通信するシステム及び方法の必要性が存在する。
【課題を解決するための手段】
【０００６】
本発明の一実施例では、ネットワークを介して電子装置と通信する方法が提示される。その方法は、コンピュータに関連する識別パラメータを有する通信を受信し、通信は第１の電子装置の通信プロトコルと互換性があるステップと、受信した識別パラメータに関連するコンピュータと通信を確立する要求を送信し、要求はネットワークを介して送信されるステップと、要求に対する応答を受信し、応答は、コンピュータと第１の電子装置との間で通信を確立しようとし、応答はネットワークを介して送信されるステップと、要求に対する応答を確認し、通信を確立する要求が送信されたコンピュータが、受信した識別パラメータに関連するコンピュータであることを確保するステップとを有する。前記の方法を実装するシステムも開示される。
【０００７】
本発明の他の実施例では、表示装置の特性に基づいてメディアオブジェクトを受信するメディアサーバと通信する方法が提示される。その方法は、表示装置に使用される表示技術の形式を決定し、それにより、表示装置は、その表示装置用の視覚的再生に適したメディアオブジェクトを受信する。異なる表示技術を備えた表示装置は、同じ源素材から生成された異なるメディアオブジェクトを受信する。
【発明を実施するための最良の形態】
【０００８】
ここで使用される“メディアオブジェクト”という用語は、オーディオ、ビデオ、テキスト、マルチメディアデータファイル及びストリーミングメディアファイルを含む。マルチメディアオブジェクトは、テキスト、画像、ビデオ及びオーディオデータの何らかの組み合わせを有する。ストリーミングメディアは、インターネット、衛星又は他の通信ネットワークを介してユーザに配信され、全体ファイルの配信が完了する前にユーザのコンピュータ／装置で再生し始めるオーディオ、ビデオ、マルチメディア、テキスト及びインタラクティブデータファイルを有する。メディアオブジェクトは、インターネット、衛星（デジタル衛星システム、デジタルビデオシステム−衛星）、ケーブル、デジタル加入者線、Ｔ１回線、無線ネットワーク、又はメディアオブジェクトを配信可能な他の配信システムを含み、如何なる通信ネットワークで送信されてもよい。
【０００９】
メディアオブジェクトの内容の例は、歌曲、政治演説、ニュース放送、映画予告、映画、テレビショーの放送、ラジオ放送、金融の電話会議、生のコンサート、ウェブカメラの映像、及び他の特別のイベントを含む。メディアオブジェクトは、ＲＥＡＬＡＵＩＤＯ（登録商標）、ＲＥＡＬＶＩＤＥＯ（登録商標）、ＲＥＡＬＭＥＤＩＡ（登録商標）、ＡＰＰＬＥ  ＱＵＩＣＫＴＩＭＥ（登録商標）、ＭＩＣＲＯＳＯＦＴ  ＷＩＮＤＯＷＳ（登録商標）のＭＥＤＩＡ  ＦＯＲＭＡＴ、ＱＵＩＣＫＴＩＭＥ（登録商標）、ＭＰＥＧ−２（ＭＯＴＩＯＮ  ＰＩＣＴＵＲＥＳ  ＥＸＰＥＲＴＳ  ＧＲＯＵＰ）  ＶＩＤＥＯ  ＣＯＭＰＲＥＳＳＩＯＮ、ＭＰＥＧ−４  ＶＩＤＥＯ  ＡＮＤ／ＯＲ  ＡＵＩＤＩＯ  ＣＯＭＰＲＥＳＳＩＯＮ、ＪＯＩＮＴ  ＶＩＤＥＯ  ＴＥＡＭ  ＣＯＭＰＲＥＳＳＩＯＮ  ＦＯＲＭＡＴ（ＭＰＥＧ−４  ｐａｒｔ  １０  ＡＶＣ、Ｈ．２６４）、ＭＰＥＧ−２  ＬＡＹＥＲ  ＩＩＩ  ＡＵＤＩＯ、ＭＰ３（登録商標）を含み、様々なフォーマットにエンコードされる。一般的に、メディアオブジェクトは、特定のフィーマットでの互換性を示す拡張子（サフィックス）で示される。例えば、拡張子．ｒａｍ、．ｒｍ、．ｒｐｍのうち１つで終わるメディアオブジェクト（例えばオーディオ及びビデオファイル）は、ＲＥＡＬＭＥＤＩＡ（登録商標）のフォーマットと互換性がある。ファイル拡張子及びその互換フォーマットのいくつかの例が図１に記載されている。メディア形式、拡張子及び互換フォーマットの更に包括的なリストは、ｈｔｔｐ：／／ｗｗｗ．ｂｏｗｅｒｓ．ｃｃ／ｅｘｔｅｎｓｉｏｎｓ２．ｈｔｍに見出され得る。
【００１０】
【表１】
2006525771.tif 000003
本発明の図示の実施例は、“ほぼ動画品質”のビデオ提示を表すビデオデータを有するメディアオブジェクトで動作する。このようなメディアオブジェクトは、ＭＰＥＧ−２（Ｍｏｔｉｏｎ  Ｐｉｃｔｕｒｅ  Ｓｔａｎｄａｒｄｓ  Ｇｒｏｕｐ  Ｓｔａｎｄａｒｄ  ＩＳＯ／ＩＥＣ  １３８１８−１：２０００）及びＩＴＵ−Ｔ  Ｈ．２６４／ＭＰＥＧ  ＡＶＣ（ＩＳＯ／ＩＥＣ  １４４９６−１０）のような様々なフォーマットでエンコードされてもよく、非圧縮のビデオでもよい。本発明はまた、Ａｄｖａｎｃｅｄ  Ｔｅｌｅｖｉｓｉｏｎ  Ｓｙｓｔｅｍ（ＡＴＳＣ）又はＤｉｇｉｔａｌ  Ｖｉｄｅｏ  Ｂｒｏａｄｃａｓｔｓ（ＤＶＢ）互換のビデオ信号で使用されるような電波放送プログラムで動作する点に留意すべきである。
【００１１】
図１は、本発明の例示的な実施例による電子装置と通信するシステム１００のブロック図である。図１に示すように、システム１００は、とりわけ、パーソナルコンピュータ（ＰＣ）１１０と、電子装置（例えばビデオ表示装置１２０ａ，ｂ．．．ｋ）と、赤外線（ＩＲ）送信機１４０と、メディアサーバ１７０とを有する。ＰＣ１１０及びビデオ表示装置１２０ａ，ｂ．．．ｋは、接続手段１５０、１６０ａ，ｂ，．．．ｋ及び接続手段１８０の対を介してローカルエリアネットワーク（ＬＡＮ）１３０で相互に接続されている。
【００１２】
ＰＣ１１０は、ポータブル又はラップトップコンピュータ、携帯情報端末（ＰＤＡ）等でもよく、ビデオ表示装置１２０ａ，ｂ．．．ｋのうち１つの機能セットをサポートすることができる工場定義又は独自仕様のプロトコルのような通信プロトコルを使用してビデオ表示装置１２０ａ，ｂ．．．ｋと通信することができる。ビデオ表示装置１２０ａ，ｂ．．．ｋは、高解像度テレビ（ＥＤＴＶ：ｅｎｈａｎｃｅｄ−ｄｅｆｉｎｉｔｉｏｎ  ｔｅｌｅｖｉｓｉｏｎ）及び高品位テレビ（ＨＤＴＶ：ｈｉｇｈ−ｄｅｆｉｎｉｔｉｏｎ  ｖｉｄｅｏ  ｔｅｌｅｖｉｓｉｏｎ）機能を有するデジタルビデオ表示装置でもよく、プラズマ、液晶、有機発光、又は陰極線管（ＣＲＴ）ディスプレイ等でもよい。ビデオ表示装置１２０ａ，ｂ．．．ｋはまた、ビデオ表示装置１２０ａ，ｂ．．．ｋのインタフェースメニューのような外部インタフェース、接続手段１５０、１６０ａ，ｂ．．．ｋ又は赤外線受信機を介して、ＰＣ１１０及びＩＲ送信機１４０のような装置と通信可能である。ＩＲ送信機１４０は、赤外線送信機能を有するユニバーサルリモコンのような一般のビデオ表示装置のリモコンでもよい。ビデオ表示装置１２０ａ，ｂ．．．ｋはまた、ＲＥＡＬＰＬＡＹＥＲ又はＷＩＮＤＯＷＳ  ＭＥＤＩＡ  ＰＬＡＹＥＲのようなメディアプレイヤアプリケーションを使用して受信したメディアオブジェクトをデコード可能であることが好ましい。
【００１３】
図１の電子装置は、複数のビデオ表示装置１２０ａ，ｂ．．．ｋのうちの１つとして図示されているが、電子装置は、衛星受信機、デジタルビデオディスク（ＤＶＤ）プレイヤ、ステレオ装置等、他のパーソナルコンピュータ、セットトップボックスのような如何なる数のネットワーク装置でもよく、ネットワークで接続されてクライアント・サーバ型又はピア・ツー・ピア型アーキテクチャを介してアクセスされてもよい。
【００１４】
ＬＡＮ１３０は、１０ＢａｓｅＴ、１００ＢａｓｅＴ若しくは１０００ＢａｓｅＴ標準、トークンリング、非同期転送モード（ＡＴＭ）等、又はビデオ表示装置のインターネットプロトコル（ＩＰ）アドレスの自動構成及び復旧を可能にする如何なるネットワークプロトコルを使用したＥｔｈｅｒｎｅｔのようなネットワークプロトコルを使用してもよい。接続手段１５０、１６０ａ，ｂ．．．ｋ及び接続手段１８０は、例えばＥｔｈｅｒｎｅｔネットワークで、ＰＣ１１０とビデオ表示装置１２０ａ，ｂ．．．ｋとを接続可能なツイストペアケーブルでもよい。接続手段１５０、１６０ａ，ｂ．．．ｋ及び接続手段１８０はまた、ＲＪ−４５形式のＥｔｈｅｒｎｅｔコネクタで終端処理されてもよいが、他の接続も使用可能である。
【００１５】
接続手段１５０及び１８０は、インターネットのようなネットワーク構造の使用を通じてＬＡＮ１３０に接続されてもよいことも考えられる。ネットワーク構造の使用は、当該技術分野において既知の如何なる形式のネットワークでもよい。このようなネットワークは、サーバのサーバ側のリソースとクライアントのクライアント側のリソースとの間で複数の接続に適合できることが好ましく、このような接続は、ＵＤＰ型、ＴＣＰ／ＩＰ型又はその混合である。ネットワーク１５０により適合された帯域は、Ｔ１接続（１．５メガビット／秒（Ｍｂｐｓ））、Ｔ３接続（４５Ｍｂｐｓ）、ＤＳ３接続（４５Ｍｂｐｓ）、ＯＣ３接続（１５５Ｍｂｐｓ）、ＯＣ１２（２４８０００Ｍｂｐｓ）等のような広帯域接続であることが好ましい。
【００１６】
メディアサーバ１７０は、複数のメディアオブジェクトを格納可能なテラバイト及び／又はギガバイトの容量を有するハードドライブのマトリクスのような記憶装置である。メディアサーバ１７０はまた、ＬＡＮ１３０を介して接続手段１８０を通じて表示装置１２０ａ．．．ｋにこのようなメディアオブジェクトを配信することができる。
【００１７】
図２は、本発明で使用されるＰＣ２００のブロック図である。ＰＣ２００は、図１のＰＣ１１０の代わりに又はそれと共に使用されてもよい。ＰＣ２００は、中央処理装置（ＣＰＵ）２１０とメモリ２２０とを有し、データバス２５０を介して出力２３０及び出力２４０に接続されている。メモリ２２０は、ランダムアクセスメモリ（ＲＡＭ）２６０と読み取り専用メモリ（ＲＯＭ）２７０とを有する。メモリ２２０はまた、データベース、ディスクドライブ、テープドライブ等、又はその組み合わせを有し得る。ＲＡＭ２６０は、ＣＰＵ２１０のプログラムの実行中に使用されるデータを格納するデータメモリとして機能し、作業領域として使用される。ＲＯＭ２７０は、ＣＰＵ２１０で実行されるプログラムを格納するプログラムメモリとして機能する。入力２３０は、キーボード、マウス、接続手段、入力装置等により構成され、出力２４０は、液晶ディスプレイ（ＬＣＤ）、ＣＲＴディスプレイ、プリンタ、接続手段等により構成される。
【００１８】
ＣＰＵ２１０及びメモリ２２０は、電子装置（例えば図１のビデオ表示装置１２０ａ，ｂ．．．ｋ）で使用される複数の通信プロトコルを介して通信することに関連するデータを有することがわかる。ビデオ表示装置１２０ａ，ｂ．．．ｋと通信することに関連するデータは、とりわけ、ＰＣ２００のＩＰアドレス、ポート及びパスワードのような識別パラメータを有する。更に、ＰＣ２００は、そのメモリ２２０に格納されたソフトウェアを有し、ビデオ表示装置１２０ａ，ｂ，．．．ｋを診断して修理する方法をサービス技術者に提供する。このソフトウェアは、ビデオ表示装置の問題のサービス及び診断を行うために、Ｔｈｏｍｓｏｎから入手可能なＣＨＩＰＰＥＲ  ＣＨＥＣＫ（登録商標）のようなビデオ表示装置のサービス技術者により一般的に使用される形式のものでもよい。
【００１９】
図３は、本発明で使用されるビデオ表示装置の制御システム３００のブロック図である。制御システム３００は、とりわけ、マイクロプロセッサ（μＰ）３１０と、電気消去可能読み取り専用メモリ（ＥＥＰＲＯＭ）３２０と、出力装置３４０とを有する。マイクロプロセッサ３１０、ＥＥＰＲＯＭ３２０及び出力装置３４０は、データバス３５０を介して相互に通信する。入力３６０はマイクロプロセッサ３１０に接続されており、バックエンドプロセッサ３３０はデータバス３５０に接続されている。
【００２０】
マイクロプロセッサ３１０は、発光ダイオード（ＬＥＤ）、デジタルビデオインタフェース（例えば高解像度マルチメディアインタフェース（ＨＤＭＩ：ｈｉｇｈ  ｄｅｆｉｎｉｔｉｏｎ  ｍｕｌｔｉｍｅｄｉａ  ｉｎｔｅｒｆａｃｅ）１３９４）、赤外線送信機等のような出力装置３４０と、バックエンドプロセッサ３３０と通信し、図１のビデオ表示装置１２０ａ，ｂ．．．ｋのうちの１つのようなデジタルビデオ表示装置を制御する。マイクロプロセッサ３１０はまた、バックエンドプロセッサ３３０と通信し、ビデオ処理のようなバックエンド処理を実行する。バックエンドプロセッサ３３０はまた、出力装置３４０に結合されており、例えばディスプレイパラメータを制御し、ビデオ品質を改善する。マイクロプロセッサ３１０はまた、ビデオ表示装置のフロントパネル、リモコン、ＥＥＰＲＯＭ３２０及びデータバス３５０に接続されている何らかの装置から入力３２０を受信する。ＥＥＰＲＯＭ３２０は、ビデオ表示装置１２０ａ，ｂ．．．ｋのうちの１つを制御するためにマイクロプロセッサにより使用される値を格納する。これらの値は、例えば調節情報と初期化信号と顧客情報とを含んでもよい。例示的な顧客情報は、チャネル走査リストと色と輝度と音量レベルとを含んでもよい。
【００２１】
ＥＥＰＲＯＭ３２０は、ビデオ表示装置１２０ａ，ｂ．．．ｋのうちの１つが作られたときにＥＥＰＲＯＭ３２０に格納されたビデオ表示装置１２０ａ，ｂ．．．ｋのうちの１つに関連する値のような情報を有する。ＥＥＰＲＯＭ３２０はまた、ＰＣ１１０又はＩＲ送信機１４０のような外部装置からそれに書き込まれた情報を有する機能を有する。従って、例えば、ＥＥＰＲＯＭ３２０は、ＰＣ１１０からそれに書き込まれた識別パラメータを格納することができる。これらのパラメータは、ＰＣ１１０のＩＰアドレス及びポートを有してもよく、それにより、ＰＣ１１０がビデオ表示装置１２０ａ，ｂ．．．ｋのうちの１つと通信することが可能になる。ＰＣ１１０がビデオ表示装置１２０ａ，ｂ．．．ｋのうちの１つと通信すると、ＰＣ１１０のサービス及びテストソフトウェアは、ビデオ表示装置１２０ａ，ｂ．．．ｋのうちの１つにコマンドを送信し、ビデオ表示装置１２０ａ，ｂ．．．ｋのうちの１つで複数の動作を実行する。
【００２２】
図４は、本発明の例示的な実施例によるビデオ表示装置と通信するシステムの動作４００を示したフローチャートである。図４に示す通り、サービス技術者は、例えば図１のビデオ表示装置１２０ａに通信を送信する（ステップ４１０）。通信は、例えば図１のＩＲ送信機１４０により送信される。通信はまた、ビデオ表示装置１２０ａのスクリーンのインタフェースメニューにアクセスして通信を入力することにより、ビデオ表示装置１２０ａにも送信され得ることがわかる。通信は、ビデオ表示装置１２０ａに対してＰＣ（例えば図１のＰＣ１１０）を特定することに関連するパラメータを有する。これらのパラメータは、とりわけ、ＰＣ１１０のＩＰアドレス及びポートを有する。通信は、ビデオ表示装置１２０ａと互換性のある工場定義のプロトコル又は独自仕様のプロトコルを介して送信されることがわかる。
【００２３】
通信が送信された後に、それはビデオ表示装置１２０ａにより受信される（ステップ４２０）。ビデオ表示装置１２０ａに配置された赤外線受信機がこの通信を受信する。通信の受信時に、ビデオ表示装置１２０ａは、通信に関連する識別パラメータを図３のＥＥＰＲＯＭ３２０のようなメモリに格納する（ステップ４３０）。通信に安全であると考えられるビデオ表示装置１２０により使用されるプロトコルを介して通信が送信されるため、このことが生じ、それによって通信に関連するデータが格納されることが可能になる。ＰＣ１１０のＩＰアドレス及びポートを有する識別パラメータがビデオ表示装置１２０ａのメモリに格納されると、ビデオ表示装置１２０ａは、ビデオ表示装置１２０ａとＰＣ１１０との間の通信を確立しようとして、（ステップ４１０の通信で指定されたポートで）ＰＣ１１０に信号を送信する（ステップ４４０）。換言すると、ビデオ表示装置１２０ａは、ＰＣ１１０の識別情報を受信してＰＣ１１０から更なる通信を受信する用意ができていることをＰＣ１１０に通知するハンドシェイクプロトコルを介してメッセージを送信することにより、ＰＣ１１０とハンドシェイクを完了しようとする。
【００２４】
更なる通信を確立するためのビデオ表示装置１２０ａの要求を受信すると、ＰＣ１１０は、ビデオ表示装置１２０ａが通信するべき装置であることを示す通信を送信することにより、要求に応答する（ステップ４５０）。それによってハンドシェイクを完了する。ステップ４１０においてＰＣ１１０のＩＰアドレス及びポートがサービス技術者によりビデオ表示装置１２０ａのメモリにプログラムされているため、このハンドシェイクは、ビデオ表示装置１２０ａ及びＰＣ１１０が相互に接続されており、詐称者又は無許可のユーザでないことを確保する。この構成では、ビデオ表示装置１２０ａはクライアント・サーバ型アーキテクチャのクライアントとして機能し、ＰＣ１１０はリモートサーバとして機能することがわかる。
【００２５】
ビデオ表示装置１２０ａとＰＣ１１０との間の安全な通信チャネルが確立された後に、ＰＣ１１０は、ビデオ表示装置１２０ａと通信し、例えばサービス又はテストに関して、ビデオ表示装置で所望の機能を実行してもよい（ステップ４６０）。実行される機能は、色、外形、ビデオ、ステレオ若しくはピクチャ・イン・ピクチャ（ＰＩＰ）の調節、又は画質に関連する様々な較正値に対する調整等のうちの１つでもよい。
【００２６】
本発明の代替実施例では、図１のＰＣ１１０は、ビデオ表示装置１２０ａ，ｂ．．．ｋのような１つより多い電子装置と通信することができる。このことは、（図４のステップ４１０−４５０で前述したものと同じ又は類似の処理を実行することにより）ＰＣ１１０がビデオ表示装置１２０ａと既に通信しているときに、例えばビデオ表示装置１２０ｂにＰＣ１１０のＩＰアドレス及びポートを送信することにより実現される。これを実現するために、ＰＣ１１０は、ビデオ表示装置１２０ｂに異なるポートを割り当てる。ステップ４１０−４５０が完了すると、ＰＣ１１０はビデオ表示装置１２０ａで所望の機能を依然として実行する一方で、ビデオ表示装置１２０ｂで所望の機能を実行し始める。１つより多いビデオ表示装置で機能を実行しているときに、ＰＣ１１０は、ＬＣＤディスプレイのような出力にビデオ表示装置毎に異なるウィンドウを有することができる。
【００２７】
（ビデオ表示装置１２０ａ用の）ＰＣ１１０のＩＰアドレス及びポートがビデオ表示装置１２０ａに送信されるのと同時に、（ビデオ表示装置１２０ｂ用の）ＰＣ１１０のＩＰアドレス及びポートはビデオ表示装置１２０ｂに送信され得ることが更にわかる。それによって、サービス技術者が同時に１つより多いビデオ表示装置と接続して通信することが可能になる。
【００２８】
１つより多いビデオ表示装置と通信することにより、同時に１つのビデオ表示装置で機能を実行することに限定されないため、ＰＣ１１０はサービス技術者に柔軟性を提供する。更に、１つより多いビデオ表示装置又は電子装置の制御を有することにより、本発明のサービス技術者及び／又は許可されたユーザは、例えば複数のビデオ表示装置を同時にオフ又はオンしてもよく、チャネルや音量等を変更してもよく、また、例えば複数のＤＶＤプレイヤで同じ映画を視聴してもよい。
【００２９】
本発明の代替の変形では、コンピュータの識別情報は、Ｂｌｕｅｔｏｏｔｈ、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１又は赤外線通信（ＩｒＤＡ）無線伝送技術を使用して、送信機から無線で送信されてもよい。
【００３０】
図５は、ビデオ表示装置の特性に応じてビデオ表示装置と通信し、メディアオブジェクトを受信する方法５００を開示したフローチャートである。特に、ＯＬＥＤ、プラズマ、ＬＣＤ等のようなビデオ表示装置の技術の発達と共に、表示装置でメディアサービスを処理する際に変更が存在してもよいことがわかる。例えば、ＭＰＥＧ−２ビデオコーデックでエンコードされたメディアサービスは、陰極線管（ＣＲＴ）表示装置で表示されたときには動画品質でもよいが、ＯＬＥＤ表示装置で処理されたときには不鮮明でもよい。
【００３１】
前述の問題の原因は、メディアサービスをエンコードするために使用されるエンコード方法に関係する。一般的に、エンコーダは、元の源素材からエンコード後のメディアオブジェクトのサイズを減少させる圧縮技術を使用する。例えば、ＭＰＥＧ−２型のエンコーダは、ビデオ形式の源素材をエンコードするために使用されると、４０〜５０：１の圧縮を実現する。一部の圧縮は、人間がメディアオブジェクトをどのように視覚的及び聴覚的に認識するかに関係する精神測定関数として知られる技術を利用する。その技術では、人間がデータの一部の損失を認識することなく、データの一部が源素材から除去され得る。ＭＰＥＧ−２及び他のエンコード技術の発達は、どの視覚又はオーディオ情報が保持される必要があり、どれが源素材から除去され得るかを決定するために人間がテストすることで発達した。人間の視覚認識のテストについての背景には、ＩＴＵ  Ｒｅｃｏｍｍｅｎｄａｔｉｏｎ  ＢＴ．５００−８、“Ｍｅｔｈｏｄｏｌｏｇｙ  ｆｏｒ  Ｓｕｂｊｅｃｔｉｖｅ  Ａｓｓｅｓｓｍｅｎｔ  ｏｆ  ｔｈｅ  Ｑｕａｌｉｔｙ  ｏｆ  Ｔｅｌｅｖｉｓｉｏｎ  Ｐｉｃｔｕｒｅｓ”、１９９８を参照のこと。
【００３２】
新しいディスプレイ技術の発達と共に、第２の表示装置（ＣＲＴディスプレイ）で明らかでないように（例えばＯＬＥＤ表示装置で）選択されたエンコード技術による加工物を人間が気付かないことがある。この例を続けると、人間は、ＣＲＴで人間に明らかでない、ＯＬＥＤ表示装置でＭＰＥＧ−２エンコードのビデオに使用されたマクロブロックの加工物に気付く場合がある。これは、ビデオ画像を処理するために使用される表示装置技術の基礎の物理特性によることがある。従って、ＣＲＴのスクリーンリフレッシュ技術は、ＯＬＥＤ表示装置のスクリーンリフレッシュ技術よりＭＰＥＧ−２のそのような加工物を隠すのに優れていることがある。
【００３３】
人間の認識のこのような欠如を認識して、本発明は、そのようなメディアオブジェクトを処理するために使用される表示装置に適したエンコードフォーマットで、メディアオブジェクトを配信するアーキテクチャを開示する。図１を参照することによる本発明の例示的な実施例では、ビデオ表示装置１２０ａはＣＲＴ型のビデオ表示装置を表し、ビデオ表示装置１２０ｂはＯＬＥＤ表示装置を表す。双方の表示装置は、接続手段１８０を通じてメディアサーバ１７０に接続されている。
【００３４】
ステップ５１０において、表示装置１２０ａは、メディアサーバ１７０からメディアオブジェクトを要求する。例えば、メディアオブジェクトの要求は、ビデオオンデマンドシステムのビデオを通じて配信された映画用のもの、又はインターネットを通じてストリーミングメディアとして配信されたメディアオブジェクトである。ステップ５２０において、メディアサーバ１７０はこの要求を受信し、表示装置１２０ａの機能を決定する。本発明の好ましい実施例では、表示装置１２０ａは、メディアサービスを処理するときにその装置で使用される表示装置の技術を識別する装置パラメータの一部としての識別パラメータを送信する。例えば、表示装置１２０ａは、表示装置をＣＲＴ型のテレビとして識別するメタデータを送信する。表２は、拡張マークアップ言語フォーマットを使用して表示装置の技術を識別するために使用され得るメタデータフィールドＤＩＳＰＬＡＹＤＥＶＩＣＥ及び対応の値の実施例を表している。例えば、＜ＤＩＳＰＬＡＹＤＥＶＩＣＥ＞ＣＲＴ＜／ＤＩＳＰＬＡＹＤＥＶＩＣＥ＞として受信したメタデータは、ＣＲＴ型の表示装置の技術を表す。本発明の原理に従って他のメタデータのフォーマットも使用され得る。
【００３５】
【表２】
2006525771.tif 000004
代替として、メディアオブジェクトについての表示装置１２０ａによる要求に基づいて、表示装置１２０ａのＩＰ及び／又はポートアドレスは、要求の一部として送信される。メディアサーバ１７０は、要求の一部であるＩＰアドレス及び／又はポートアドレス情報により表示装置を識別するために使用される技術を識別する情報を含むデータベースを有することが好ましい。この情報は、ネットワーク接続を通じて表示装置を登録したときに、ユーザにより入力され、メディアサーバ１７０により格納される。
【００３６】
ステップ５３０は、表示装置１２０ａが識別パラメータをメディアサーバ１７０に通信する任意選択のステップを表す。一般的に、この通信は、メディアサーバ１７０が表示装置に使用される表示技術を要求することにより行われるクエリに応じるものである。識別パラメータのこの通信は、表２に示すメタデータと類似することが好ましいが、識別パラメータの他のフォーマットが使用されてもよい。
【００３７】
メディアサーバ１７０により受信された識別パラメータに応じて、ステップ５４０において、メディアサーバは、表示装置に使用される表示技術に対応したビデオ装置１２０ａにメディアオブジェクトを通信する。好ましい実施例では、メディアサーバ１７０は、表示装置の技術について最適なビデオ画像を作るものとして予め定められたエンコード技術に対して表示技術を指定する参照テーブル又はデータベースエントリーを利用する。例えば、Ｗｉｎｄｏｗｓ  Ｍｅｄｉａ  ９エンコードのメディアオブジェクトが最適なビデオ提示を作ることがあるＯＬＥＤディスプレイに対して、ＣＲＴでは、ＭＰＥＧ−２エンコードのメディアオブジェクトが最適のビデオ提示を作ると決定されてもよい。メディアサーバ１７０のオペレータにより行われた決定に従って、如何なるエンコードフォーマットが選択されてもよい。表示装置の技術における更なる改善と共に新しいエンコード技術が作られると、これらの決定が変化してもよい。
【００３８】
好ましい実施例では、メディアサーバ１７０は、異なるフォーマットでエンコードされたメディアオブジェクトと同じ源素材の複数のバージョンを格納する。この例では、メディアサーバ１７０は、ＭＰＥＧ−２フォーマットでエンコードされたメディアオブジェクト及びＷｉｎｄｏｗｓ  Ｍｅｄｉａ  ９フォーマットでエンコードされたメディアオブジェクトとして映画の源素材を格納する。代替として、メディアサーバ１７０は、前述の表示技術についての指定のエンコードフォーマットに従って、エンコーダを使用してリアルタイム又はほぼリアルタイムに、メディアオブジェクトの源素材を適切なフォーマットにエンコードする。
【００３９】
次に、メディアサーバ１７０は、この例ではＣＲＴとして指定された表示装置１２０ａにＭＰＥＧ−２エンコードのメディアオブジェクトを送信する。メディアオブジェクトは、接続手段１８０及びＬＡＮ１３０を通じて表示装置１２０ａに送信される。表示装置１２０ｂが同じ映画を要求する場合には、メディアサーバ１７０は、前述のように、Ｗｉｎｄｏｗｓ  Ｍｅｄｉａ  ９エンコードのメディアオブジェクトをＯＬＥＤ型の表示装置に送信する。他のエンコードフォーマット及び表示装置も、本発明の原理に従って考えられる。
【００４０】
更に、メディアオブジェクトのフォーマット毎に、メディアオブジェクトを生成するために使用された源素材の視覚属性は、特定の表示技術に最適のビデオ品質を作るために変更される。変更される視覚属性は、色、色合い、コントラスト、色相、彩度、輝度、フレームレート、フィールド毎のライン、画素等を含む。視覚属性は、特定の技術の表示装置での最適な視覚ビデオを提供するために実験的に決定されたパラメータに従って選択及び変更される。
【００４１】
ステップ５５０において、メディアオブジェクトを受信した表示装置は、ビデオとしてオブジェクトを処理する。この例では、各表示装置は、受信したメディアサービスをデコード可能なデコーダを有する。従って、表示装置１２０ａはＭＰＥＧ−２ビデオデコーダを有し、表示装置１２０ｂはＷｉｎｄｏｗｓ  Ｍｅｄｉａ  ９ビデオデコーダを有する。表示装置のデコーダは、表示装置によりデコードされるメディアオブジェクトのフォーマットに従って選択される。
【００４２】
本発明の代替実施例では、マルチキャストされたデジタル放送のサブチャネル又は“マイナー”チャネルが、ＡＴＳＣ又はＤＶＢ型のテレビシステムに使用されるメディアオブジェクトの複数のバージョンを送信するために使用されてもよい。特に、デジタル放送システムのサブチャネルは、第１の技術の表示装置用のプログラムを運ぶように指定され、第２の技術の表示装置用のプログラムを運ぶために第２のサブチャネルを利用してもよい。この場合、メディアオブジェクトは同じ源素材から生成される。例えば、プログラムがＬＣＤスクリーンでの表示用に色補正された第２のサブチャネルで運ばれるプログラムに対して、第１のサブチャネルで送信されるプログラムは、プラズマ装置での表示用に変更されたプログラムの色のガンマ値を有してもよい。プログラムの他の属性も、本発明の原理に従って変更されてもよい。
【００４３】
本発明は、様々な形式のハードウェア、ソフトウェア、ファームウェア、特殊目的プロセッサ、又はその組み合わせで実装されてもよいことがわかる。一実施例では、本発明は、プログラム記憶装置に明白に具現されたアプリケーションプログラムとしてソフトウェアに実装され得る。アプリケーションプログラムは、何らかの適切なアーキテクチャを有する機械にアップロードされ、それにより実行されてもよい。
【００４４】
添付図面に示した構成システムの構成要素及び方法のステップのうちいくつかはソフトウェアに実装されてもよいため、システム構成要素（又は処理のステップ）の間の実際の接続は、本発明がプログラムされる方法に応じて異なってもよいことが更にわかる。ここに提示された本発明の教示により、当業者は本発明の前記及び類似の実装又は構成を検討することができる。
【図面の簡単な説明】
【００４５】
【図１】本発明の例示的な実施例による電子装置と通信するシステムのブロック図
【図２】本発明で使用されるパーソナルコンピュータ（ＰＣ）のブロック図
【図３】本発明で使用されるビデオ表示装置の制御システムのブロック図
【図４】本発明の例示的な実施例によるビデオ表示装置と通信するシステムの動作を示したフローチャート
【図５】本発明の例示的な実施例によるビデオ表示装置の特性に応じてビデオ表示装置と通信するシステムの動作を示したフローチャート
【図１】
2006525771.tif 000005
【図２】
2006525771.tif 000006
【図３】
2006525771.tif 000007
【図４】
2006525771.tif 000008
【図５】
2006525771.tif 000009
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
メディアオブジェクトを作る方法であって、
表示装置で使用される表示技術に関連する表示パラメータを決定するステップと、
前記パラメータに応じて表示技術に対応するメディアオブジェクトを生成するステップと
を有する方法。
【請求項２】
請求項１に記載の方法であって、
前記表示パラメータは、前記表示パラメータに応じて前記メディアオブジェクトとして生成されたデータを返信するサーバに通信される方法。
【請求項３】
請求項１に記載の方法であって、
使用される表示技術を示す前記表示パラメータは、陰極線管、有機発光ダイオード、液晶ディスプレイ、シリコン上液晶、デジタル光プロジェクト及びプラズマのうち少なくとも１つである方法。
【請求項４】
請求項３に記載の方法であって、
前記メディアオブジェクトは、前記表示技術に適したフォーマットでエンコードされる方法。
【請求項５】
請求項４に記載の方法であって、
前記メディアオブジェクトは、前記表示技術用に変更された視覚属性を有し、
前記視覚属性は、前記メディアオブジェクトが異なる表示技術を使用した表示装置に表示されるときに変更される方法。
【請求項６】
請求項２に記載の方法であって、
前記メディアオブジェクトは、デジタルテレビ放送システムのサブチャネルで送信され、前記変更されたメディアオブジェクトは、異なるサブチャネルで送信される方法。
【請求項７】
メディアオブジェクトを送信する方法であって、
表示装置に使用される表示技術に関係する表示装置パラメータを決定し、前記パラメータは、メディアオブジェクトの要求の一部として受信されるステップと、
前記表示装置に前記メディアオブジェクトを送信し、前記メディアオブジェクトは、前記表示装置に使用される表示技術に対応するステップと、
を有する方法。
【請求項８】
請求項７に記載の方法であって、
使用される表示技術を示す前記パラメータは、陰極線管、有機発光ダイオード、液晶ディスプレイ、シリコン上液晶、デジタル光プロジェクト及びプラズマのうち少なくとも１つである方法。
【請求項９】
請求項８に記載の方法であって、
前記メディアオブジェクトは、表示技術に適したフォーマットでエンコードされる方法。
【請求項１０】
請求項９に記載の方法であって、
前記メディアオブジェクトは、前記表示技術用に変更された視覚属性を有し、
前記視覚属性は、前記メディアオブジェクトが異なる表示技術を使用した表示装置に表示されるときに変更される方法。
【請求項１１】
請求項１０に記載の方法であって、
前記メディアオブジェクトは、デジタルテレビ放送システムのサブチャネルで送信され、前記変更されたメディアオブジェクトは、異なるサブチャネルで送信される方法。
【国際調査報告】
2006525771.tif 000010
2006525771.tif 000011
2006525771.tif 000012
2006525771.tif 000013
2006525771.tif 000014